(57)【要約】      （修正有）【課題】既存システム帯域を利用したInternet of Things（IoT）向け無線通信のためのキャリア周波数を適切に設定する。【解決手段】基地局１０は、他のシステムによって信号が割り当てられ得る第１キャリア周波数を含む周波数帯域において、第１キャリア周波数を除いた第２キャリア周波数群のうちアンカキャリア周波数の候補に規定されている第２キャリア周波数の１つを選択する制御部１０３と、選択した第２キャリア周波数において下り信号を送信する送信部１０１とを備える。【選択図】図２
2020155876.tif 000002
【特許請求の範囲】
【請求項１】
他のシステムによって信号が割り当てられ得る第１キャリア周波数を含む周波数帯域において、前記第１キャリア周波数を除いた第２キャリア周波数群のうちアンカキャリア周波数の候補に規定されている第２キャリア周波数の１つを選択する制御部と、
選択した第２キャリア周波数において下り信号を送信する送信部と、
を備えた基地局。
【請求項２】
前記制御部は、前記第２キャリア周波数群のうち、前記他のシステムにおける周波数リソースの割り当て単位であるリソースブロックグループであって選択した前記アンカキャリア周波数が含まれるリソースブロックグループに対応する第３キャリア周波数群の中から、非アンカキャリア周波数を選択する、
請求項１に記載の基地局。
【請求項３】
前記制御部は、前記第３キャリア周波数群において前記非アンカキャリア周波数に選択可能な空きキャリア周波数が存在しない場合、前記第３キャリア周波数群を除いた前記第２キャリア周波数群のうち、前記周波数帯域の中心周波数から遠い順番で前記非アンカキャリア周波数を選択する、
請求項２に記載の基地局。
【請求項４】
他のシステムによって信号が割り当てられ得る第１キャリア周波数を含む周波数帯域において、前記第１キャリア周波数を除いた第２キャリア周波数群のうちの少なくとも１つを選択する制御部と、
選択した前記第２キャリアにおいて上り信号を受信する受信部と、
を備えた基地局。
【請求項５】
前記制御部は、前記第２キャリア周波数群のうち、前記周波数帯域の中心周波数から最も遠いキャリア周波数を、アンカキャリア周波数に設定する、
請求項４に記載の基地局。
【請求項６】
前記制御部は、前記アンカキャリア周波数を除いた前記第２キャリア周波数群の中から、非アンカキャリア周波数を、前記周波数帯域の中心周波数から遠い順番で選択する、
請求項５に記載の基地局。
【請求項７】
前記制御部は、前記周波数帯域の中心周波数から最も遠い第２キャリア周波数が複数存在する場合、当該複数の第２キャリア周波数のうちランダムアクセスチャネルが設定された周波数に近いキャリア周波数を、前記アンカキャリア周波数に設定する、
請求項５に記載の基地局。
【請求項８】
前記制御部は、前記複数の第２キャリア周波数のうち、前記アンカキャリア周波数に選択するキャリア周波数を、セル毎に異ならせる、
請求項４に記載の基地局。
【請求項９】
前記他のシステムは、Long Term Evolution（ＬＴＥ）、および／または、Category.M（Ｃａｔ．Ｍ）である、
請求項１から８のいずれか一項に記載の基地局。
【請求項１０】
前記第１キャリア周波数に割り当てられる前記信号は、前記他のシステムのシステム情報を含む信号、前記他のシステムにおける制御チャネルの信号、および、前記他のシステムにおけるランダムアクセス応答の少なくとも１つである、
請求項１から９のいずれか一項に記載の基地局。
【発明の詳細な説明】
【技術分野】
【０００１】
本開示は、基地局に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。
【０００３】
また、3rd Generation Partnership Project（3GPP）では、Internet of Things（IoT）向けのユーザ装置（UE）の仕様が検討されている。
【先行技術文献】
【非特許文献】
【０００４】
【非特許文献１】3GPP TS 36.331 v15.4.0, “Radio Resource Control (RRC);Protocol specification (Release 15),” December 2018
【発明の概要】
【発明が解決しようとする課題】
【０００５】
Internet of Things（IoT）向けの無線通信は、既存の（あるいはレガシーな）無線通信システムが使用する周波数帯域（「既存システム帯域」と称されてもよい）における運用が検討される。
【０００６】
しかし、この運用における周波数リソース（例えば、キャリア周波数）の割り当て（あるいは設定）、別言すると、既存の無線通信システムとの共存については、検討の余地がある。
【０００７】
本開示の目的の一つは、既存システム帯域を利用したInternet of Things（IoT）向け無線通信のためのキャリア周波数設定を適切に行うことにある。
【課題を解決するための手段】
【０００８】
本開示の一態様に係る基地局は、他のシステムによって信号が割り当てられ得る第１キャリア周波数を含む周波数帯域において、前記第１キャリア周波数を除いた第２キャリア周波数群のうちアンカキャリア周波数の候補に規定されている第２キャリア周波数の１つを選択する制御部と、選択した第２キャリア周波数において下り信号を送信する送信部と、を備える。
【発明の効果】
【０００９】
本開示によれば、既存システム帯域のような或る周波数帯域を利用したInternet of Things（IoT）向け無線通信のためのキャリア周波数設定を適切に行うことが可能である。
【図面の簡単な説明】
【００１０】
【図１】下りリンク（Downlink：ＤＬ）のアンカキャリア（Anchor carrier）に設定可能なリソースブロック（Resource Block：ＲＢ）位置の候補の一例を示す図である。
【図２】一実施の形態に係る基地局の構成の一例を示すブロック図である。
【図３】一実施の形態に係る端末の構成の一例を示すブロック図である。
【図４】一実施の形態におけるＤＬのNarrow band IoT（NB-IoT）キャリアの設定の一例を示す図である。
【図５】一実施の形態における上りリンク（Uplink：ＵＬ）のNB-IoTキャリアの設定の一例を示す図である。
【図６】近隣セル間における信号の送受信の一例を示す図である。
【図７】一実施の形態におけるアンカキャリアの設定のバリエーションの一例を示す図である。
【図８】一実施の形態に係る基地局及び端末のハードウェア構成の一例を示す図である。
【発明を実施するための形態】
【００１１】
以下、本開示の一態様に係る実施の形態を、図面を参照して説明する。
【００１２】
3GPPでは、IoT向けの無線通信システム（例えば、ユーザ装置（UE）の仕様）が検討されている。例えば、狭帯域（例えば、200kHz）を用いるNarrow band-IoT（NB IoT）の検討が進んでいる。
【００１３】
NB-IoTでは、使用帯域について、３つの運用が規定されている。１つ目の運用では、LTEのシステム帯域（例えば、１０ＭＨｚ）の中のいずれかの帯域が、NB-IoTの使用帯域に設定される。１つ目の運用は、例えば、In-band operationと呼ばれる。２つ目の運用では、ＬＴＥのシステム帯域のうち、ガードバンドに該当する帯域が、NB-IoTの使用帯域に設定される。２つ目の運用は、例えば、Guard band operationと呼ばれる。３つ目の運用では、NB-IoT専用の帯域が、使用帯域に設定される。３つ目の運用は、例えば、stand alone operationと呼ばれる。
【００１４】
In-band operationのNB-IoTでは、他の無線通信システムとの共存が想定される。NB-IoTとの共存が想定されるシステムは、例えば、Category.M（Cat.M）および／またはLegacy LTE（以下、「LTE」と記載）を含む。
【００１５】
Cat.Mは、NB-IoTと同様に、3GPPにおいて検討されているIoT向けの無線通信システムである。Cat.Mでは、使用帯域幅、通信方式および通信速度等のパラメータに関して、NB-IoTと異なるパラメータが規定される場合がある。
【００１６】
NB-IoT、Cat.M、および、LTEの各システムでは、互いの報知情報を参照できないため、互いのシステムにおいて、信号が配置されるリソース位置（例えば、リソースの時間軸方向の位置、および／または、リソースの周波数軸方向の位置）の把握が困難である。したがって、例えば、異なるシステムの信号が、同一のリソースに配置され、送受信される場合、異なるシステム間で、信号どうしが衝突する可能性がある。
【００１７】
なお、以下では、信号が配置されるリソースの時間軸方向の位置は、信号の時間位置と記載され、信号が配置されるリソースの周波数軸方向の位置は、信号の周波数位置と記載されることがある。
【００１８】
例えば、各システムにおいて、例えば、基地局（ｅＮｏｄｅＢ：ｅＮＢ）が、システム間での衝突を回避できるリソース位置を設定してもよいが、基地局によってリソース位置が設定されない信号については、衝突の回避が困難である。例えば、基地局がリソース位置を設定しない信号とは、仕様等により、特定の時間位置、および／または、特定の周波数位置に配置されることが規定される信号に相当する。特定の時間位置とは、例えば、特定のサブフレームであり、特定の周波数位置とは、例えば、特定のリソースブロック（Resource Block：ＲＢ）の位置である。
【００１９】
そこで、本実施の形態では、NB-IoTの信号を配置するリソース位置を、NB-IoTと共存が想定されるCat.MおよびLTEの信号と衝突しないリソース位置に設定する方法を説明する。
【００２０】
なお、本実施の形態では、NB-IoTの信号を配置する周波数位置を適切に設定することによって、NB-IoTの信号と、Cat.MおよびLTEの信号との衝突を回避する。
【００２１】
NB-IoTの信号を配置する周波数位置は、NB-IoTの無線通信システムにおいて信号の送受信に用いられるキャリア（以下、NB-IoTキャリア）の周波数位置に相当する。
【００２２】
NB-IoTキャリア（NB-IoT carrier）は、アンカキャリア（Anchor carrier）と非アンカキャリア（Non-anchor carrier）とを含む。アンカキャリアは、共通チャネルの信号とユーザデータとを送信可能なキャリアである。非アンカキャリアは、共通チャネルの信号送信には用いられず、ユーザデータを送信可能なキャリアである。
【００２３】
上りリンク（Uplink：ＵＬ）のアンカキャリア、ＵＬの非アンカキャリア、および、下りリンク（Downlink：ＤＬ）の非アンカキャリアについては、システム帯域のどの周波数位置（例えば、ＲＢ位置）に設定されてもよい。
【００２４】
一方で、ＤＬのアンカキャリアについては、複数の設定可能な周波数位置（ＲＢ位置）の候補が規定されている。例えば、NB-IoTでは、１００ｋＨｚのラスタが導入されているため、特定のＲＢ位置の候補が、ＤＬのアンカキャリアに規定される。別言すると、ＤＬのアンカキャリアに設定可能な周波数位置に関して、制約が設けられる。
【００２５】
図１は、ＤＬのアンカキャリアに設定可能なＲＢ位置の候補の一例を示す図である。
【００２６】
図１には、LTEのシステム帯域が５ＭＨｚ、１０ＭＨｚ、１５ＭＨｚ、および、２０ＭＨｚのそれぞれに対して、ＤＬのアンカキャリアに設定可能なＲＢ位置を表すＲＢ番号が対応づけられている。なお、図１のＲＢ番号は、「０」から開始される。
【００２７】
ＤＬのアンカキャリアのＲＢ位置は、図１に示すとおり、事前に規定された候補の中から設定（あるいは、選択または決定）される。
【００２８】
本実施の形態では、ＤＬのアンカキャリア、ＤＬの非アンカキャリア、ＵＬのアンカキャリアおよびＵＬの非アンカキャリアのそれぞれの周波数位置（ＲＢ位置）を適切に設定することによって、NB-IoTの信号と、Cat.MおよびLTEの信号との衝突を回避する。
【００２９】
［基地局及び端末の構成］
図２は、本実施の形態に係る基地局１０の構成の一例を示すブロック図である。図３は、本実施の形態に係る端末２０の構成の一例を示すブロック図である。
【００３０】
基地局１０は、NB-IoT、Cat.MおよびLTEの各無線通信システムをサポートする。また、端末２０は、少なくとも、NB-IoTをサポートする。端末２０は、基地局１０によって設定されたＵＬのNB-IoTキャリアにおいて、ＵＬ信号を基地局１０へ送信する。端末２０は、基地局１０によって設定されたＤＬのNB-IoTキャリアにおいて、ＤＬ信号を基地局１０から受信する。
【００３１】
図２に例示した基地局１０は、例えば、送信部１０１と、受信部１０２と、制御部１０３と、を含む。
【００３２】
送信部１０１は、ＤＬ信号を端末２０へ送信する。例えば、送信部１０１は、制御部１０３の制御により、ＤＬのNB-IoTキャリアにおいて、ＤＬ信号を送信する。
【００３３】
ＤＬ信号には、チャネル品質情報、制御情報を含む制御チャネルの信号、データを含むデータチャネルの信号、又は、参照信号等が含まれてよい。例えば、チャネル品質情報、制御情報を含む制御チャネルの信号は、ＤＬのアンカキャリアにおいて送信される。また、データを含むデータチャネルの信号は、ＤＬのアンカキャリア、および／または、ＤＬの非アンカキャリアにおいて送信される。
【００３４】
受信部１０２は、端末２０から送信されるＵＬ信号を受信する。例えば、受信部１０２は、制御部１０３の制御により、ＵＬのNB-IoTキャリアにおいて、ＵＬ信号を受信する。
【００３５】
ＵＬ信号には、チャネル品質情報、制御情報を含む制御チャネルの信号、データを含むデータチャネルの信号、又は、参照信号等が含まれてよい。例えば、チャネル品質情報、制御情報を含む制御チャネルの信号は、ＵＬのアンカキャリアを用いて受信される。また、データを含むデータチャネルの信号は、ＵＬのアンカキャリア、および／または、ＵＬの非アンカキャリアを用いて受信される。
【００３６】
制御部１０３は、送信部１０１における送信処理、及び、受信部１０２における受信処理を制御する。例えば、制御部１０３は、上位レイヤからデータおよび制御情報等を受信し、送信部１０１へ出力する。また、制御部１０３は、受信部１０２から受信したデータおよび制御情報等を上位レイヤへ出力する。
【００３７】
また、例えば、制御部１０３は、端末２０との通信におけるリソースの割り当てを行う。例えば、制御部１０３は、NB-IoTをサポートする端末２０に対して、ＵＬのNB-IoTキャリアおよびＤＬのNB-IoTキャリアの周波数位置を設定する。制御部１０３は、設定した周波数位置を含むリソース割当てに関する制御情報を送信部１０１へ出力してよい。
【００３８】
ＤＬのNB-IoTキャリアおよびＵＬのNB-IoTキャリアの周波数位置の設定例については、後述する。
【００３９】
図３に例示した端末２０は、例えば、受信部２０１と、送信部２０２と、制御部２０３と、を含む。
【００４０】
受信部２０１は、基地局１０から送信されるＤＬ信号を受信する。例えば、受信部２０１は、制御部２０３の制御により、ＤＬのNB-IoTキャリアにおいて、ＤＬ信号を受信する。
【００４１】
送信部２０２は、ＵＬ信号を基地局１０へ送信する。例えば、送信部２０２は、制御部２０３の制御により、ＵＬのNB-IoTキャリアにおいて、ＵＬ信号を送信する。
【００４２】
制御部２０３は、受信部２０１における受信処理、及び、送信部２０２における送信処理を制御する。例えば、制御部２０３は、上位レイヤからデータおよび制御情報等を受信し、送信部２０２へ出力する。また、制御部１０３は、受信部２０１から受信したデータおよび制御情報等を上位レイヤへ出力する。
【００４３】
例えば、制御部２０３は、ＤＬ信号に含まれるリソース割当てに関する制御情報に基づいて、ＤＬのNB-IoTキャリアおよびＵＬのNB-IoTキャリアを設定する。
【００４４】
次に、基地局１０における、ＤＬのNB-IoTキャリアおよびＵＬのNB-IoTキャリアの周波数位置の設定例について、それぞれ説明する。
【００４５】
［１．ＤＬのNB-IoTキャリアの設定］
基地局１０は、以下に示すステップ１−１〜ステップ１−５の５つの手順によって、ＤＬのNB-IoTキャリアに使用する周波数位置を設定する。なお、以下では、周波数位置は、ＲＢ単位で設定される例、つまり、周波数位置がＲＢ位置に対応する例を説明する。「ＲＢ位置」という用語は、「周波数位置」の例示であり、相互に読み替えられてよい。
【００４６】
［ステップ１−１］
ステップ１−１では、基地局１０は、ＤＬのNB-IoTキャリアに使用しないＲＢ位置を決定する。例えば、ＤＬのNB-IoTキャリアに使用しないＲＢ位置は、送信タイミングとＲＢ位置とが固定されているCat.Mの信号およびLTEの信号のＲＢ位置を含む。ここで、送信タイミングとＲＢ位置とが固定されているCat.Mの信号およびLTEの信号とは、別言すれば、基地局１０によって、送信タイミングとＲＢ位置とを制御（変更）できないCat.Mの信号およびLTEの信号に相当する。
【００４７】
以下の（ａ）〜（ｆ）に、ＤＬのNB-IoTキャリアに使用しないＲＢ位置の一例を示す。ＤＬのNB-IoTキャリアに使用しないＲＢ位置とは、ＤＬのNB-IoTキャリアのＲＢ位置の候補から除外するＲＢ位置に対応する。ステップ１−１にて、基地局１０は、以下の（ａ）〜（ｆ）のＲＢ位置を決定する。
【００４８】
（ａ）Cat.MのSystem Information Block1-Bandwidth Reduced（ＳＩＢ１−ＢＲ）のＲＢ位置
Cat.MのＳＩＢ１−ＢＲのＲＢ位置を規定するパラメータのうち、周波数の開始位置を示すstart Narrowbandは、セルの識別子（Idenfification：ＩＤ）を示す物理セルＩＤ（Physical Cell ID：ＰＣＩ）によって規定される。また、周波数のホッピングの設定を示すHoppingConfigは、システム帯域幅によって規定される。ＰＣＩおよびシステム帯域幅は、基地局１０によって制御不可（変更不可）であるので、基地局１０は、ＳＩＢ１−ＢＲのＲＢ位置を避けた位置にＤＬのNB-IoTキャリアを設定する。
【００４９】
（ｂ）Cat.MのPaging Narrow Band（ＰＮＢ）のＲＢ位置
Cat.MのＰＮＢのＲＢ位置を規定するパラメータのうち、周波数の開始位置を示すstart Narrowbandは、ＰＣＩによって規定される。また、HoppingConfigは、システム帯域幅によって規定される。
【００５０】
（ｃ）Cat.Mのシステム情報（System Information：ＳＩ）
ＳＩ毎のリソース位置を規定するパラメータ（例えば、SI-Periodicity、Narrowband位置）、および、ＳＩ共通のSI-Windowサイズは、３ＧＰＰの仕様によって規定されるパラメータを用いて指定される。
【００５１】
（ｄ）ランダムアクセスレスポンス（ＲＡＲ）のためのCat.Mのマシン型通信向け物理下りリンク制御チャネル（Machine type communication Physical Downlink Control Channel：ＭＰＤＣＣＨ）
ＲＡＲのためのCat.MのＭＰＤＣＣＨのＲＢ位置（Narrowbandのインデックス）は、３ＧＰＰの仕様によって規定されるパラメータを用いて指定される。
【００５２】
（ｅ）Cat.Mのマシン型通信向け物理下りリンク制御チャネル（Machine type communication Physical Downlink Control Channel：ＭＰＤＣＣＨ）および物理下りリンク共有チャネル（Physical Downlink Shared Channel ＰＤＳＣＨ）を送信するNarrowband（ＮＢ）
Cat.MのＭＰＤＣＣＨおよびＰＤＳＣＨを送信するＮＢは、ＳＩおよび／またはＲＡＲなどの共通チャネルが割り当てられる可能性があるため、ＤＬのNB-IoTキャリアに使用されない。
【００５３】
（ｆ）システム帯域幅の中心６ＲＢ
システム帯域幅の中心７２サブキャリアを含むＲＢは、ＤＬのNB-IoTキャリアに使用されない。
【００５４】
上述のように、ステップ１−１では、送信タイミングとＲＢ位置とが固定されているCat.Mの信号およびLTEの信号のＲＢ位置が決定される。なお、Cat.Mの信号およびLTEの信号のＲＢ位置の両方が決定されず、片方のみが決定されてもよい。別言すると、ステップ１−１では、Cat.Mおよび／またはLTEによって信号が割り当てられ得るＲＢ位置が決定されてよい。
【００５５】
なお、ステップ１−１にて基地局１０は、上述の（ａ）〜（ｆ）のいずれかのＲＢ位置を決定しなくてもよい。また、ステップ１−１にて基地局１０は、上述の（ａ）〜（ｆ）に限らず、他の信号またはチャネルのＲＢ位置を、ＤＬのNB-IoTキャリアに使用しないＲＢ位置に決定してよい。
【００５６】
［ステップ１−２］
ステップ１−２では、基地局１０は、ステップ１−１にて決定したＲＢ位置と重複しないＲＢであって、図１に示したＤＬのアンカキャリアに規定されているＲＢ位置の候補のいずれかをＤＬのアンカキャリアのＲＢ位置に設定する。
【００５７】
例えば、ステップ１−１にて決定したＲＢ位置と重複しないＲＢ、かつ、ＤＬのアンカキャリアに規定されるＲＢ位置の候補が複数存在する場合、基地局１０は、当該複数のＲＢ位置の候補の中から選択したＲＢ位置をＤＬのアンカキャリアのＲＢ位置に設定する。選択方法については、特に限定されず、例えば、ＲＢ位置毎に付された識別番号の最も小さいＲＢ位置が選択されてもよいし、識別番号の最も大きいＲＢ位置が選択されてもよいし、任意に（ランダムに）選択されてもよい。
【００５８】
上述のように、ステップ１−２では、Cat.Mおよび／またはLTEによって信号が割り当てられ得るＲＢ位置を除いたＲＢ位置のうち、ＤＬのアンカキャリアの候補に規定されている１つを、アンカキャリアのＲＢ位置に設定（選択）する。
【００５９】
［ステップ１−３］
ステップ１−３および後述するステップ１−４とステップ１−５では、基地局１０は、ＤＬの非アンカキャリアの周波数位置（ＲＢ位置）を設定する。なお、基地局１０は、ＤＬの非アンカキャリアを使用しない場合、ステップ１−３〜ステップ１−５は、省略されてよい。
【００６０】
例えば、LTEにおいて、ＤＬのデータ割り当ては、リソースブロックグループ（Resource Block Group：ＲＢＧ）単位で割り当てを行う。ＲＢＧは、複数のＲＢを有するグループを指す。例えば、ＲＢＧは、５ＭＨｚのシステム帯域幅における規定では２ＲＢを有し、１０ＭＨｚのシステム帯域幅における規定では３ＲＢを有し、１５ＭＨｚ、および、２０ＭＨｚのシステム帯域幅の規定では４ＲＢを有する。
【００６１】
例えば、１つのＲＢＧに含まれるＲＢの少なくとも１つがNB-IoTキャリアのＲＢ位置に設定された場合、当該ＲＢＧは、LTEのＤＬのデータチャネルのためのリソース割り当てに使用できない。そのため、本実施の形態に係る基地局１０は、ステップ１−２にて設定したＤＬのアンカキャリアのＲＢ位置が含まれるＲＢＧ（以下、特定ＲＢＧと記載する）を優先して、ＤＬの非アンカキャリアのＲＢ位置に設定する。この非アンカキャリアの設定によって、NB-IoTキャリアのＲＢ位置に設定されたＲＢが含まれるＲＢＧに対するリソース割当ての効率化を図ることができる。なお、基地局１０は、特定ＲＢＧに含まれる、ＤＬのアンカキャリア以外の全てのＲＢ位置を、ＤＬの非アンカキャリアのＲＢ位置に設定しなくてよい。
【００６２】
［ステップ１−４］
ステップ１−４は、特定ＲＢＧに含まれるＲＢをＤＬの非アンカキャリアのＲＢ位置に設定し、更に、ＤＬの非アンカキャリアの設定を行う場合に実行される。別言すると、ステップ１−４は、特定ＲＢＧに含まれるＲＢにおいて、非アンカキャリアに選択可能な空き周波数（空きＲＢ）が存在しない場合に実行される。この場合、ステップ１−４では、基地局１０は、システム帯域において、システム帯域の中心周波数を基準に、特定ＲＢＧよりも中心周波数から離れたＲＢ位置を、中心周波数からより離れたＲＢ位置から順に、ＤＬの非アンカキャリアのＲＢ位置に設定する。
【００６３】
なお、特定ＲＢＧに含まれるＲＢをＤＬの非アンカキャリアのＲＢ位置に設定することによって、ＤＬの非アンカキャリアのＲＢ位置の設定が完了した場合、ステップ１−４は、実行されなくてよい。また、特定ＲＢＧよりも中心周波数から離れた位置のＲＢが存在しない場合、別言すれば、特定ＲＢＧがシステム帯域の端に存在する場合は、ステップ１−４は、省略されてよい。
【００６４】
［ステップ１−５］
ステップ１−５は、ステップ１−４におけるＤＬの非アンカキャリアの設定が完了し、更に、ＤＬの非アンカキャリアの設定を行う場合に実行される。この場合、ステップ１−５では、基地局１０は、中心周波数と特定ＲＢＧとの間のＲＢ位置を、特定ＲＢＧに近いＲＢ位置から順に、ＤＬの非アンカキャリアのＲＢ位置に設定する。
【００６５】
なお、ステップ１−４（またはステップ１−３）にてＤＬの非アンカキャリアのＲＢ位置の設定が完了した場合、ステップ１−５は、実行されなくてよい。
【００６６】
また、ステップ１−３〜ステップ１−５にて、基地局１０は、ＤＬの非アンカキャリアに必要な数のＲＢ位置を設定した段階で、処理を完了してよい。
【００６７】
次に、ステップ１−３〜ステップ１−５について、図を用いて説明する。
【００６８】
図４は、本実施の形態におけるＤＬのNB-IoTキャリアの設定の一例を示す図である。図４の横軸は、周波数軸を示し、図４における１つの矩形は、１ＲＢを示す。図４は、システム帯域において、中心周波数よりも高周波数側に設定されたＤＬのアンカキャリア（DL Anchor carrier）のＲＢ位置と、当該ＲＢ位置を含む特定のＲＢＧとが示される。なお、図４におけるＲＢＧは、４ＲＢを有する。また、図４において、低周波数側は省略されている。
【００６９】
図４のＲＢに付された番号は、ステップ１−３〜ステップ１−５において、ＤＬの非アンカキャリアのＲＢ位置に設定されるＲＢの優先順位を示している。
【００７０】
ステップ１−３にて説明したように、基地局１０は、特定のＲＢＧに含まれるＲＢを優先してＤＬの非アンカキャリアのＲＢ位置に設定する。図４の「１」〜「３」のＲＢが、特定のＲＢＧに含まれるＲＢである。基地局１０は、例えば、「１」〜「３」のＲＢを、この番号の順に優先的に、ＤＬの非アンカキャリアのＲＢ位置に設定する。
【００７１】
そして、ステップ１−４にて説明したように、特定のＲＢＧよりも中心周波数から離れたＲＢ位置を、より離れたＲＢ位置から順に、ＤＬの非アンカキャリアのＲＢ位置に設定する。図４の「４」〜「７」のＲＢ位置が、特定のＲＢＧよりも中心周波数から離れたＲＢ位置である。基地局１０は、例えば、「４」〜「７」のＲＢ位置を、この番号の順に、ＤＬの非アンカキャリアのＲＢ位置に設定する。
【００７２】
そして、ステップ１−５にて説明したように、中心周波数と特定ＲＢＧとの間のＲＢ位置を、特定のＲＢＧに近いＲＢ位置から順に、ＤＬの非アンカキャリアのＲＢ位置に設定する。図４の「８」〜「１１」のＲＢ位置は、中心周波数と特定のＲＢＧとの間において、特定のＲＢＧに近い方から順に番号を付されたＲＢ位置である。基地局１０は、特定ＲＢＧに近い方から順、すなわち、図４における「８」〜「１１」の順に、ＤＬの非アンカキャリアのＲＢ位置に設定する。
【００７３】
以上説明した、ＤＬのNB-IoTキャリアの設定では、基地局１０の制御部１０３は、他のシステム（例えば、Cat.Mおよび／またはLTE）によって信号が割り当てられ得る第１のＲＢ位置を含むシステム帯域において、第１のＲＢ位置を決定する。そして、制御部１０３は、第１のＲＢ位置を除いた第２のＲＢ位置のうち、ＤＬのアンカキャリアの候補に規定されている１つをＤＬのアンカキャリアに設定（選択）する。この設定によって、既存システム帯域のような或る周波数帯域を利用したIoT向け無線通信のためのキャリア周波数設定を適切に行うことが可能である。また、この設定によって、NB-IoTをサポートする無線通信システムにおいて、ＤＬ信号が、他の無線通信システム（例えば、Cat.Mおよび／またはLTE）の信号と衝突することを回避でき、他の無線通信システムとの共存を実現できる。
【００７４】
［２．ＵＬのNB-IoTキャリアの設定］
基地局１０は、以下に示すステップ２−１〜ステップ２−３の３つの手順によって、ＵＬのNB-IoTキャリアに使用するＲＢ位置を設定する。
【００７５】
［ステップ２−１］
ステップ２−１では、基地局１０は、ＵＬのNB-IoTキャリアに使用しないＲＢ位置を決定する。例えば、ＵＬのNB-IoTキャリアに使用しないＲＢ位置は、送信タイミング（基地局１０における受信タイミング）とＲＢ位置とが固定されているCat.Mの信号およびLTEの信号のＲＢ位置を含む。ここで、送信タイミングとＲＢ位置とが固定されているCat.Mの信号およびLTEの信号とは、別言すれば、基地局１０によって、送信タイミングとＲＢ位置とを制御（変更）できないCat.Mの信号およびLTEの信号に相当する。
【００７６】
以下の（ｇ）〜（ｉ）に、ＵＬのNB-IoTキャリアに使用しないＲＢ位置の一例を示す。ＵＬのNB-IoTキャリアに使用しないＲＢ位置とは、ＵＬのNB-IoTキャリアのＲＢ位置の候補から除外するＲＢ位置に対応する。ステップ２−１にて、基地局１０は、以下の（ｇ）〜（ｉ）のＲＢ位置を決定する。
【００７７】
（ｇ）LTEおよび／またはCat.Mの物理上りリンク制御チャネル（Physical Uplink Control Channel：ＰＵＣＣＨ）のＲＢ位置
ＰＵＣＣＨのＲＢ位置は、固定されているため、ＵＬのNB-IoTキャリアに使用されない。
【００７８】
（ｈ）LTEおよび／またはCat.Mの物理ランダムアクセスチャネル（Physical Random Access Channel：ＰＲＡＣＨ）のＲＢ位置
ＰＲＡＣＨのＲＢ位置は、基地局１０によって制御不可（変更不可）であるため、ＵＬのNB-IoTキャリアに使用されない。
【００７９】
（ｉ）Cat.Mの物理上りリンク共有チャネル（Physical Uplink Shared Channel：ＰＵＳＣＨ）を送信するＮＢのＲＢ位置
Cat.MのＰＵＳＣＨを送信するＮＢは、Narrowband Physical Random Access Channel（ＮＰＲＡＣＨ）等の共通チャネルの信号が割り当てられる可能性があるため、ＵＬのNB-IoTキャリアに使用されない。
【００８０】
上述のように、ステップ２−１では、送信タイミングとＲＢ位置とが固定されているCat.Mの信号およびLTEの信号のＲＢ位置が決定される。なお、Cat.Mの信号およびLTEの信号のＲＢ位置の両方が決定されず、片方のみが決定されてもよい。別言すると、ステップ２−１では、Cat.Mおよび／またはLTEによって信号が割り当てられ得るＲＢ位置が決定されてよい。
【００８１】
なお、ステップ２−１にて基地局１０は、上述の（ｇ）〜（ｉ）のいずれかのＲＢ位置を決定しなくてもよい。また、ステップ２−１にて基地局１０は、上述の（ｇ）〜（ｉ）に限らず、他の信号またはチャネルのＲＢ位置を、ＵＬのNB-IoTキャリアに使用しないＲＢ位置に決定してよい。
【００８２】
［ステップ２−２］
ステップ２−２では、基地局１０は、ステップ２−１にて決定したＲＢ位置と重複しないＲＢ位置に対して、インデックスを設定する。例えば、基地局１０は、システム帯域の中心周波数から遠い位置のＲＢから順にインデックスを設定する。また、例えば、基地局１０は、２つ以上のＲＢ位置がシステム帯域の中心周波数から等距離の場合、２つ以上のＲＢ位置の中で、ＰＲＡＣＨに近い方のＲＢ位置に小さいインデックスを設定する。
【００８３】
［ステップ２−３］
ステップ２−３では、基地局１０は、ステップ２−２にて設定したインデックスの中で、最も小さいインデックスが設定されたＲＢ位置を、ＵＬのアンカキャリアのＲＢ位置に設定する。別言すると、基地局１０は、システム帯域の中心周波数から最も遠いＲＢ位置を、ＵＬのアンカキャリアのＲＢ位置に設定する。また、基地局１０は、ＵＬのアンカキャリアに設定したＲＢ位置を除くＲＢ位置を、インデックスの小さい方から順に、ＵＬの非アンカキャリアのＲＢ位置に設定する。
【００８４】
なお、基地局１０は、ＵＬの非アンカキャリアを使用しない場合、ＵＬの非アンカキャリアのＲＢ位置を決定しなくてよい。また、基地局１０は、ＵＬの非アンカキャリアに必要な数のＲＢ位置を設定した段階で、ステップ２−３の処理を完了してよい。
【００８５】
次に、ステップ２−１〜ステップ２−３について、図を用いて説明する。
【００８６】
図５は、本実施の形態におけるＵＬのNB-IoTキャリアの設定の一例を示す図である。図５の横軸は、周波数軸を示し、図５における１つの矩形は、１ＲＢを示す。図５は、システム帯域において、ステップ２−１によって決定されたＲＢ位置、ステップ２−２によって設定されたインデックス、および、ステップ２−３によって設定されたNB-IoTキャリアのＲＢ位置が示される。
【００８７】
図５の（１）は、ステップ２−１にて決定した、ＰＵＣＣＨ（上述の（ｇ））とＰＲＡＣＨ（上述の（ｈ））との一例が示される。なお、ＰＲＡＣＨの帯域の両端には、ガードバンド（図５では「Ｇ」）が設けられてよい。
【００８８】
図５の（２）は、ステップ２−１にて決定したＮＢ（上述の（ｉ））の一例が示される。
【００８９】
図５の（３）は、ステップ２−２にて設定されるインデックスの一例が示される。なお、図５の（３）にて塗りつぶされたＲＢ位置は、図５の（１）および（２）にて決定したＲＢ位置に対応する。なお、図５の（３）では、「０」から「９」までのインデックスが設定される例が示されるが、「１０」以降のインデックスが更に設定されてもよい。
【００９０】
図５の（３）にて、インデックス「０」と「１」とは、中心周波数から等距離のＲＢ位置ではあるが、インデックス「０」のＲＢ位置は、インデックス「１」のＲＢ位置よりもＰＲＡＣＨの位置に近い。
【００９１】
図５の（４）では、図５の（３）に示したインデックスの中で、最も小さいインデックスのＲＢ位置が、ＵＬのアンカキャリアのＲＢ位置（図５では「Ａ」）に設定される。そして、ＵＬのアンカキャリアに設定されたＲＢ位置を除くＲＢ位置の中で、インデックスの小さい方から順に４つ分のＲＢ位置が、ＵＬの非アンカキャリアのＲＢ位置（図５では「Ｎ」）に設定される。
【００９２】
以上説明した、ＵＬのNB-IoTキャリアの設定では、基地局１０の制御部１０３は、他のシステム（例えば、Cat.Mおよび／またはLTE）によって信号が割り当てられ得る第１のＲＢ位置を含むシステム帯域において、第１のＲＢ位置を決定する。そして、制御部１０３は、第１のＲＢ位置を除いた第２のＲＢ位置のうち、少なくとも１つをＵＬのアンカキャリアに設定（選択）する。この設定によって、既存システム帯域のような或る周波数帯域を利用したIoT向け無線通信のためのキャリア周波数設定を適切に行うことが可能である。また、この設定によって、NB-IoTをサポートする無線通信システムにおいて、ＵＬ信号が、他の無線通信システム（例えば、Cat.Mおよび／またはLTE）の信号と衝突することを回避でき、他の無線通信システムとの共存を実現できる。
【００９３】
なお、上述したステップ２−３において、ＵＬのアンカキャリアのＲＢ位置の設定を隣り合うセル間で調整されてもよい。
【００９４】
例えば、NB-IoTは、周波数ホッピングによって、ＮＰＲＡＣＨの衝突の回避（または衝突の分離）を行う。そのため、或るセルと隣り合うセル（或るセルの近隣セル）に在圏する端末２０が、当該或るセルと同じＲＢ位置において、ＮＰＲＡＣＨの信号を送信する可能性がある。
【００９５】
図６は、隣り合うセル間における信号の送受信の一例を示す図である。図６には、互いに隣り合うセルＡおよびセルＢと、セルＢに在圏する端末２０とが示される。
【００９６】
例えば、セルＡとセルＢとにおいて、同一のＲＢ位置（例えば、図６ではＲＢ＃４）が、ＵＬのアンカキャリアに設定される場合、セルＢに在圏する端末２０は、ＲＢ＃４においてＮＰＲＡＣＨの信号を送信する。この場合、セルＡを管理する基地局１０は、セルＢに在圏する端末２０からＲＢ＃４においてＮＰＲＡＣＨを受信し、セルＡにおける端末２０の接続確立のためのRACH procedureが実施される。端末２０は、セルＢに在圏しているため、セルＡにおけるRACH procedureに係る信号の送受信は無駄となる。
【００９７】
そこで、本実施の形態では、隣り合うセル毎に、ＮＰＲＡＣＨの信号を送受信するＲＢ位置をずらすために、ＵＬのアンカキャリアのＲＢ位置を隣り合うセルの間で調整してもよい。
【００９８】
図７は、本実施の形態におけるアンカキャリアの設定のバリエーションの一例を示す図である。
【００９９】
図７の（３）には、図５の（３）と同様の、インデックスが設定されたＲＢ位置が示される。また、図７の（４ａ）〜（４ｃ）には、セル間で異なるＵＬのアンカキャリアのＲＢ位置（（４ａ）〜（４ｃ）の「Ａ」の位置）の一例が示される。
【０１００】
例えば、セル間で、ＵＬのアンカキャリアに設定されるＲＢ位置のインデックスをずらす（シフトさせる）ことによって、ＵＬのアンカキャリアのＲＢ位置を重複しない調整を行ってよい。
【０１０１】
例えば、基地局１０は、各セルが有するＰＣＩ（Primary Cell Index）に基づいて、ＵＬのアンカキャリアのＲＢ位置をセル間で重複しない設定にしてもよい。例えば、基地局１０は、PCI mod Xの計算結果毎に異なるオフセットを設定することによって、インデックスをシフトさせてよい。
【０１０２】
例えば、Ｘ＝３の場合、図７の（４ａ）では、ＰＣＩ  ｍｏｄ  ３＝０であるＰＣＩを有するセルにおいて、シフトさせない（オフセット無しの）インデックスのＲＢ位置が、ＵＬのアンカキャリアのＲＢ位置に設定される。そして、図７の（４ｂ）では、ＰＣＩ  ｍｏｄ  ３＝１であるＰＣＩを有するセルにおいて、１シフトさせた（オフセットが１の）インデックスのＲＢ位置、すなわち、図７の（３）にてインデックス「１」のＲＢ位置が、ＵＬのアンカキャリアのＲＢ位置に設定される。そして、図７の（４ｃ）では、ＰＣＩ  ｍｏｄ  ３＝２であるＰＣＩを有するセルにおいて、４シフトさせた（オフセットが４の）インデックスのＲＢ位置、すなわち、図７の（３）にてインデックス「４」のＲＢ位置が、ＵＬのアンカキャリアのＲＢ位置に設定される。
【０１０３】
図７に示したように、セル間で異なるＵＬのアンカキャリアのＲＢ位置が設定されることによって、近隣セルに在圏する端末２０が、同じＲＢ位置において、ＮＰＲＡＣＨの信号を送信することを回避できる。したがって、端末２０が在圏しないセルにおいて、RACH procedureに係る信号が送受信されることを回避できる。
【０１０４】
なお、上述した実施の形態では、周波数位置の設定が、ＲＢ単位にて行われる例を説明したが、本開示はこれに限定されない。周波数位置の設定は、キャリア、サブキャリア、バンド、または、サブバンド等の単位にて行われてもよい。
【０１０５】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１０６】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【０１０７】
例えば、本開示の一実施の形態における基地局、端末などは、本開示の無線通信方法の処理を行うコンピュータとして機能してもよい。図８は、本開示の一実施の形態に係る基地局及び端末のハードウェア構成の一例を示す図である。上述の基地局１０及び端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１０８】
なお、以下の説明では、「装置」という文言は、回路、デバイス、ユニットなどに読み替えることができる。基地局１０及び端末２０のハードウェア構成は、図に示した各装置を１つ又は複数含むように構成されてもよいし、一部の装置を含まずに構成されてもよい。
【０１０９】
基地局１０及び端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１１０】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１０３および制御部２０３などは、プロセッサ１００１によって実現されてもよい。
【０１１１】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、基地局１０の制御部１０３または端末２０の制御部２０３は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１１２】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１１３】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１１４】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送信部１０１、受信部１０２、受信部２０１および送信部２０２などは、通信装置１００４によって実現されてもよい。
【０１１５】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１１６】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１１７】
また、基地局１０及び端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１１８】
（情報の通知、シグナリング）
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１１９】
（適用システム）
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（New  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１２０】
（処理手順等）
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１２１】
（基地局の動作）
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１２２】
（入出力の方向）
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１２３】
（入出力された情報等の扱い）
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１２４】
（判定方法）
判定は、１ビットで表される値（０か１か）によって行われてもよいし、真偽値（Boolean：true又はfalse）によって行われてもよいし、数値の比較（例えば、所定の値との比較）によって行われてもよい。
【０１２５】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１２６】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１２７】
（情報、信号）
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１２８】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１２９】
（「システム」、「ネットワーク」）
本開示において使用する「システム」及び「ネットワーク」という用語は、互換的に使用される。
【０１３０】
（パラメータ、チャネルの名称）
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１３１】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１３２】
（基地局（無線基地局））
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１３３】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１３４】
（端末）
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１３５】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１３６】
（基地局／移動局）
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１３７】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能を端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１３８】
同様に、本開示における端末は、基地局で読み替えてもよい。この場合、上述の端末２０が有する機能を基地局１０が有する構成としてもよい。
【０１３９】
（用語の意味、解釈）
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１４０】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１４１】
参照信号は、ＲＳ（Reference  Signal）と略称することもでき、適用される標準によってパイロット（Pilot）と呼ばれてもよい。
【０１４２】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１４３】
「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１４４】
上記の各装置の構成における「部」を、「手段」、「回路」、「デバイス」等に置き換えてもよい。
【０１４５】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１４６】
無線フレームは時間領域において１つ又は複数のフレームによって構成されてもよい。
時間領域において１つ又は複数の各フレームはサブフレームと呼ばれてもよい。サブフレームは更に時間領域において１つ又は複数のスロットによって構成されてもよい。サブフレームは、ニューメロロジー（numerology）に依存しない固定の時間長（例えば、１ｍｓ）であってもよい。
【０１４７】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１４８】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１４９】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１５０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１５１】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１５２】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１５３】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１５４】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５５】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１５６】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１５７】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１５８】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１５９】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１６０】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１６１】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１６２】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１６３】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１６４】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１６５】
本開示において、例えば、英語でのa,  an及びtheのように、翻訳により冠詞が追加された場合、本開示は、これらの冠詞の後に続く名詞が複数形であることを含んでもよい。
【０１６６】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１６７】
(態様のバリエーション等)
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１６８】
以上、本開示について詳細に説明したが、当業者にとっては、本開示が本開示中に説明した実施形態に限定されるものではないということは明らかである。本開示は、特許請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【産業上の利用可能性】
【０１６９】
本開示の一態様は、移動通信システムに有用である。
【符号の説明】
【０１７０】
１０  基地局
２０  端末
１０１，２０２  送信部
１０２，２０１  受信部
１０３，２０３  制御部
１００１  プロセッサ
１００２  メモリ
１００３  ストレージ
１００４  通信装置
１００５  入力装置
１００６  出力装置
１００７  バス
【図１】
2020155876.tif 000003
【図２】
2020155876.tif 000004
【図３】
2020155876.tif 000005
【図４】
2020155876.tif 000006
【図５】
2020155876.tif 000007
【図６】
2020155876.tif 000008
【図７】
2020155876.tif 000009
【図８】
2020155876.tif 000010